(57)【要約】本発明の傘および傘用カバーは、傘本体と、この傘本体の傘布部の開放が可能な傘軸の先端部に固定的あるいは着脱可能に取付けられたカップ状の受け皿と、この受け皿内に一端部が位置し、折りたたみ収納することができるとともに、収納時の傘本体の傘布部を覆うことができる可撓性のカバー筒本体、このカバー筒本体の他端部に取付けられた収納時に前記受け皿と嵌合し、前記傘本体の傘布部の開放が可能な部位に位置する筒状のカバー体とからなるカバー筒とで構成され、簡単な操作によって傘の傘布部のカバーをしたり、カバーを外したりすることができるとともに、紛失したり、傘布部に付着した雨水を他人に付着させたりする不具合を効率よく阻止することができる。
2008062497.tif 000002
【特許請求の範囲】
【請求項１】
傘本体と、この傘本体の傘布部の開放が可能な傘軸の先端部に固定的あるいは着脱可能に取付けられたカップ状の受け皿と、この受け皿内に一端部が位置し、折りたたみ収納することができるとともに、収納時の傘本体の傘布部を覆うことができる可撓性のカバー筒本体、このカバー筒本体の他端部に取付けられた収納時に前記受け皿と嵌合し、前記傘本体の傘布部の開放が可能な部位に位置する筒状のカバー体とからなるカバー筒とを備えることを特徴とする傘。
【請求項２】
傘本体と、この傘本体の傘布部の開放が可能な傘軸の先端部に嵌合固定することができる底面に嵌合孔が形成されたカップ状の受け皿と、この受け皿の内底面に固定あるいは、該受け皿内の前記傘軸の先端部に嵌合固定されるリング、このリングに一端部が取付けられ、折りたたみ収納することができるとともに、収納時の傘本体の傘布部を覆うことができる可撓性のカバー筒本体、このカバー筒本体の他端部に取付けられた収納時に前記受け皿と嵌合し、前記傘本体の傘布部の開放が可能な部位に位置する筒状のカバー体とからなるカバー筒とを備えることを特徴とする傘。
【請求項３】
傘の傘布部の開放が可能な傘軸の先端部に、着脱可能あるいは嵌合固定することができる底面に嵌合孔が形成されたカップ状の受け皿と、この受け皿の内底面に取付けられたリング、このリングに一端部が取付けられ、折りたたみ収納することができるとともに、収納時の傘の傘布部を覆うことができる可撓性のカバー筒本体、このカバー筒本体の他端部に取付けられた収納時に前記受け皿と嵌合し、前記傘の傘布部の開放が可能な部位に位置する筒状のカバー体とからなる傘用カバー。
【請求項４】
傘の傘布部の開放が可能な傘軸の先端部に、着脱可能あるいは嵌合固定することができる中央底面に形成された複数個の切り欠き部により開放可能な嵌合孔が形成されたカップ状の受け皿本体、この受け皿本体の外周部を覆う弾性材製のカバーとから成るカップ状の受け皿と、このカップ状の受け皿のカバーと受け皿本体によって一端部が固定され、折りたたみ収納することができるとともに、収納時の傘の傘布部を覆うことができる可撓性のカバー筒本体と、このカバー筒本体の他端部に固定された収納時に前記受け皿と嵌合し、前記傘の傘布部の開放が可能な部位に位置する筒状のカバー体とからなる傘用カバー。
【発明の詳細な説明】
【技術分野】
【０００１】
本発明は傘および傘用カバーに関する。
【背景技術】
【０００２】
従来の傘は不使用時に傘布部を覆うカバーが用いられている。【０００３】
このカバーは傘とは別体に形成されており、持ち運び時に紛失したり、収納場所に苦労するという欠点があるとともに、雨に濡れた傘をカバーで覆うために使用するものでないので、雨に濡れた傘を収納状態にして電車に乗った場合、傘布部に付着している雨水が隣りの乗客に触れて、迷惑をかけてしまうという欠点があった。
【特許文献１】特になし
【発明の開示】
【発明が解決しようとする課題】
【０００４】
本発明は以上のような従来の欠点に鑑み、簡単な操作によって傘の傘布部のカバーをしたり、カバーを外したりすることができるとともに、紛失したり、傘布部に付着した雨水を他人に付着させたりする不具合を効率よく阻止することができる傘および傘用カバーを提供することを目的としている。                    【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は傘本体と、この傘本体の傘布部の開放が可能な傘軸の先端部に固定的あるいは着脱可能に取付けられたカップ状の受け皿と、この受け皿内に一端部が位置し、折りたたみ収納することができるとともに、収納時の傘本体の傘布部を覆うことができる可撓性のカバー筒本体、このカバー筒本体の他端部に取付けられた収納時に前記受け皿と嵌合し、前記傘本体の傘布部の開放が可能な部位に位置する筒状のカバー体とからなるカバー筒とで傘を構成している。【０００７】
本発明は傘の傘布部の開放が可能な傘軸の先端部に、着脱可能あるいは嵌合固定することができる底面に嵌合孔が形成されたカップ状の受け皿と、この受け皿の内底面に取付けられたリング、このリングに一端部が取付けられ、折りたたみ収納することができるとともに、収納時の傘の傘布部を覆うことができる可撓性のカバー筒本体、このカバー筒本体の他端部に取付けられた収納時に前記受け皿と嵌合し、前記傘の傘布部の開放が可能な部位に位置する筒状のカバー体とで傘用カバーを構成している。
【発明の効果】
【０００８】
以上の説明から明らかなように、本発明にあっては次に列挙する効果が得られる。【０００９】
（１）傘本体と、この傘本体の傘布部の開放が可能な傘軸の先端部に固定的あるいは着脱可能に取付けられたカップ状の受け皿と、この受け皿内に一端部が位置し、折りたたみ収納することができるとともに、収納時の傘本体の傘布部を覆うことができる可撓性のカバー筒本体、このカバー筒本体の他端部に取付けられた収納時に前記受け皿と嵌合し、前記傘本体の傘布部の開放が可能な部位に位置する筒状のカバー体とからなるカバー筒とで構成されているので、雨降り時には従来と同様に傘布部を開放して使用することができるとともに、濡れた状態で傘布部を収納した後、カバー筒のカバー体を柄の方向へ移動させると、カバー筒本体が引き出されて濡れた傘布部を覆うことができる。
したがって、収納した傘布部に付着している雨水はカバー筒本体で覆われることによって、他人に触れて濡らしたりする不具合を効率よく防止することができる。【００１０】
（２）前記（１）によって、カバー筒本体で傘布部を覆うため、傘布部が広がることなく、より安全に持ち歩くことができる。【００１１】
（３）前記（１）によって、傘本体に受け皿、カバー筒が取付けられているので、傘本体と離れて紛失したりするのを確実に防止できる。【００１２】
（４）前記（１）によって、カバー筒のカバー体のスライド移動で、カバー筒本体を使用できる状態にしたり、収納する状態にできる。
したがって、操作が容易で、気軽に使用することができる。【００１３】
（５）請求項２も前記（１）〜（４）と同様な効果が得られるとともに、既存の傘に本発明を施すことができる。【００１４】
（６）請求項３、４も前記（１）〜（５）と同様な効果が得られる。
【図面の簡単な説明】
【００１５】
【図１】本発明を実施するための最良の第１の形態の正面図。
【図２】本発明を実施するための最良の第１の形態の使用状態の正面図。
【図３】本発明を実施するための最良の第１の形態のカバーをした状態の正面図。
【図４】図３の４−４線に沿う断面図。
【図５】図１の５−５線に沿う拡大断面図。
【図６】本発明を実施するための最良の第１の形態の受け皿の説明図。
【図７】本発明を実施するための最良の第１の形態のカバー筒の説明図。
【図８】本発明を実施するための第２の形態の正面図。
【図９】図８の９−９線に沿う拡大断面図。
【図１０】本発明を実施するための第２の形態の傘用カバーの説明図。
【図１１】本発明を実施するための第３の形態の正面図。
【図１２】図１１の１２−１２線に沿う拡大断面図。
【図１３】本発明を実施するための第３の形態の傘用カバーの説明図。
【図１４】本発明を実施するための第４の形態の正面図。
【図１５】図１４の１５−１５線に沿う拡大断面図。
【図１６】本発明を実施するための第４の形態の傘用カバーの説明図。
【図１７】本発明を実施するための第５の形態の正面図。
【図１８】図１７の１８−１８線に沿う拡大断面図。
【図１９】本発明を実施するための第５の形態の傘用カバーの説明図。
【図２０】本発明を実施するための第６の形態の正面図。
【図２１】図２０の２１−２１線に沿う拡大断面図。
【図２２】本発明を実施するための第６の形態の傘用カバーの説明図。
【図２３】本発明を実施するための第７の形態の正面図。
【図２４】図２３の２４−２４線に沿う拡大断面図。
【図２５】本発明を実施するための第７の形態の受け皿本体の平面図。
【図２６】図２５の２６−２６線に沿う断面図。
【図２７】本発明を実施するための第７の形態のカバーの平面図。
【図２８】図２７の２８−２８線に沿う断面図。
【図２９】本発明を実施するための第７の形態の筒状のカバー体の平面図。
【図３０】図２９の３０−３０線に沿う断面図。
【符号の説明】
【００１６】
１、       
１Ａ、１Ｂ、１Ｃ、１Ｄ、１Ｅ、１Ｆ：傘、
２、２Ａ：傘本体、
３、３Ａ、３Ｂ、３Ｃ、３Ｄ、３Ｅ、３Ｆ：傘用カバー、
４：傘布部、                        ５、５Ａ：傘軸、
６：嵌合孔、                        ７、７Ａ、７Ｂ、７Ｃ：受け皿、
８：リング、                        ９：カバー筒本体、
１０、１０Ａ、１０Ｂ、１０Ｃ：カバー体、
１１：カバー筒、                    １２：受け皿本体、
１３：嵌合リング、                  １４：嵌合片、
１５：カバー体本体、                １６：嵌合部、
１７：フランジ片、                  １８：柄、
１９：固定具、                      ２０：嵌合筒、
２１：ねじ嵌合部、                  ２２：ねじ嵌合片、
２３：ねじ棒、                      ２４：ねじ筒、
２５：嵌合凹部、                    ２６：嵌合片挿入凹部、
２７：大の嵌合孔、                  ２８：小の嵌合孔、
２９：嵌合片、                      ３０：嵌合片、
３１：Ｏリング、                    ３２：カバー筒本体支持筒、
３３：嵌合片、                      ３４：嵌合部、
３５：フランジ部材、                ３６：切り欠き部、
３７：受け皿本体、                  ３８：カバー、
３９：嵌合部、                      ４０：カバー体本体、
４１：端部カバー筒。
【発明を実施するための最良の形態】
【００１７】
以下、図面に示す本発明を実施するための最良の形態により、本発明を詳細に説明する。【００１８】
図１ないし図７に示す本発明を実施するための最良の第１の形態において、１は本発明の傘で、この傘１は洋傘、長傘やジャンプ傘等の傘本体２と、傘用カバー３とで構成され、傘用カバー３は前記傘本体２の傘布部４の開放が可能な傘軸５の先端部に嵌合固定された底面中央部に嵌合孔６が形成されたカップ状の受け皿７と、この受け皿７内の前記傘軸５の先端部に嵌合固定されるリング８、このリング８に一端部が取付けられ、折りたたみ収納することができるとともに、収納時の傘本体２の傘布部４を覆うことができる可撓性のカバー筒本体９、このカバー筒本体９の他端部に取付けられた収納時に前記受け皿７と嵌合し、前記傘本体２の傘布部４の開放が可能な部位に位置する筒状のカバー体１０とからなるカバー筒１１とで構成されている。【００１９】
前記受け皿７は図６に示すように、底面中央部に透孔あるいは嵌合孔６が形成されたカップ状の受け皿本体１２と、この受け皿本体１２の内底面に固定された前記傘本体２の傘軸５の先端部を嵌合する、ゴムや軟質合成樹脂材等の弾性材で形成された嵌合リング１３と、前記受け皿本体１２の上部に形成されたリング状の嵌合片１４とで構成されている。【００２０】
前記可撓性のカバー筒本体９は、円筒状に形成された伸縮可能な布地、薄い布地、軟質合成樹脂材製のフィルム等で形成されたものが使用されるが、最適には防水性のある材質を用いて形成したものがよい。【００２１】
前記カバー体１０は図７に示すように、円筒状のカバー体本体１５と、このカバー体本体１５の底面に形成された、前記受け皿７の嵌合片１４と着脱可能に嵌合する嵌合部１６と、前記カバー体本体１５の上面に形成された、該カバー体本体１５を収納方向に移動させた場合に、前記カバー筒本体９を下方へ押し付けることができるように内側へ突出するフランジ片１７とで構成されている。【００２２】
上記構成の傘１は不使用時には図３に示すように、カバー体１０を持って傘本体２の柄１８方向へ移動させると、カバー筒本体９が引き上げられ、傘布部４を覆った状態になる。
傘１を使用する場合には、カバー体１０を持って受け皿７方向へ移動させて、図１に示すように受け皿７の嵌合片１４にカバー体１０の嵌合部１６を嵌合させる。このカバー体１０の移動時にカバー筒本体９は折りたたまれた状態となり、受け皿７とカバー体１０内に収納された状態となる。
この状態で、従来と同様に傘布部４を開放して使用する。
使用して、傘本体２を収納して持ち歩く場合には、前述の不使用時と同様にカバー体１０を柄１８方向へ移動させて、傘布部４をカバー筒本体９で覆う。
この状態で、傘布部４に付着した雨水はカバー筒本体９で外方へ飛び散るのを防止することができるとともに、防水性のカバー筒本体９であれば、カバー筒本体９が身体に触れても、雨水で濡れたりするのを確実に防止することができる。
[発明を実施するための異なる形態]【００２３】
次に、図８ないし図３０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００２４】
図８ないし図１０に示す本発明を実施するための第２の形態において、前記本発明を実施するための最良の第１の形態と主に異なる点は、受け皿７の内底面にリング８を固定するとともに、該受け皿７を接着剤やビス等の固定具１９で傘軸５の先端部に固定し、受け皿７の上部に嵌合部１６を形成し、該受け皿７の嵌合部１６と嵌合する嵌合片１４をカバー体１０に形成した傘用カバー３Ａにした点で、このように形成した傘用カバー３Ａを用いて構成した傘１Ａにしても、前記本発明を実施するための最良の第１の形態と同様な作用効果が得られる。【００２５】
図１１ないし図１３に示す本発明を実施するための第３の形態において、前記本発明を実施するための最良の第１の形態と主に異なる点は、受け皿７の内底面にリング８を固定した傘用カバー３Ｂを既存の傘に取付けて使用できるようにした点で、このように構成した傘用カバー３Ｂを用いた傘１Ｂにしても、前記本発明を実施するための最良の第１の形態と同様な作用効果が得られる。【００２６】
図１４ないし図１６に示す本発明を実施するための第４の形態において、前記本発明を実施するための最良の第１の形態と主に異なる点は、内底中央部に傘軸５の先端部と嵌合する嵌合筒２０が形成された受け皿７Ａと、この受け皿７Ａの上部外壁面に形成したねじ嵌合部２１とねじ嵌合するねじ嵌合片２２が形成されたカバー体１０Ａとを用いた傘用カバー３Ｃを用いた点で、このような傘用カバー３Ｃを用いた傘１Ｃにしても、前記本発明を実施するための最良の第１の形態と同様な作用効果が得られる。【００２７】
図１７ないし図１９に示す本発明を実施するための第５の形態において、前記本発明を実施するための第４の形態と主に異なる点は、折りたたみ傘本体２Ａ  の傘軸５Ａの先端部に形成されたねじ棒２３と螺合するねじ筒２４を底面中央部に形成した受け皿７Ｂを用いた傘用カバー３Ｄを用いた点で、このような傘用カバー３Ｄを用いて構成した傘１Ｄにしても、前記本発明を実施するための第４の形態と同様な作用効果が得られる。【００２８】
図２０ないし図２２に示す本発明を実施するための第６の形態において、前記本発明を実施するための最良の第１の形態と主に異なる点は、上部に嵌合凹部２５および上部外周部に嵌合部１６が形成され下面に嵌合片挿入凹部２６が形成された中央部に透孔が形成された受け皿本体１２Ａ、この受け皿本体１２Ａの嵌合片挿入凹部２６に挿入された大小の嵌合孔２７、２８が形成された傘軸５の先端部と嵌合するゴムや軟質合成樹脂材等の弾性材で形成された嵌合片２９、３０、前記受け皿本体１２Ａの嵌合凹部２５にＯリング３１を介して嵌合固定されるカバー筒本体９の一端部を固定するカバー筒本体支持筒３２とからなる受け皿７Ｃと、円筒状のカバー体本体１５、このカバー体本体１５の底面に形成された、前記受け皿７Ｃの嵌合部１６と着脱可能に嵌合する嵌合片１４、前記カバー体本体１５の上面外周部に形成された嵌合片３３、この嵌合片３３にＯリング３１を介して固定されたカバー筒本体９の他端部を固定する該嵌合片３３と嵌合固定される嵌合部３４を有し、カバー筒本体９を下方へ押し付けることができるフランジ部材３５とからなるカバー体１０Ｂとを用いた傘用カバー３Ｅを用いた点で、このような傘用カバー３Ｅを用いた傘１Ｅにしても、前記本発明を実施するための最良の第１の形態と同様な作用効果が得られる。【００２９】
図２３ないし図３０に示す本発明を実施するための第７の形態において、前記本発明を実施するための最良の第１の形態と主に異なる点は、中央底面に形成された複数個、本発明の実施の形態では放射状の８個の切り欠き部３６により開放可能な嵌合孔６Ａが形成されたカップ状の受け皿本体３７、この受け皿本体３７の外周部を覆う弾性材製のカバー３８とから成るカップ状の受け皿７Ｃと、このカップ状の受け皿７Ｃのカバー３８と受け皿本体３７によって一端部が固定され、折りたたみ収納することができるとともに、収納時の傘の傘布部を覆うことができる可撓性のカバー筒本体９と、このカバー筒本体９の他端部に固定された収納時に前記受け皿７Ｃと嵌合し、前記傘の傘布部の開放が可能な部位に位置する前記受け皿７Ｃとの嵌合部３９が形成された筒状のカバー体本体４０、このカバー体本体４０との嵌合で前記カバー筒本体９の他端部を固定する事ができる端部カバー筒４１とから成る筒状のカバー体１０Ｃとを用いた傘用カバー３Ｆを用いた点で、このような傘用カバー３Ｆを用いた傘１Ｆにしても、前記本発明を実施するための最良の第１の形態と同様な作用効果が得られるとともに、複数個の切り欠き部３６を形成した受け皿本体３７を用いた受け皿７Ｃの使用により、傘軸５の先端部の径寸法が異なっていても、受け皿本体３７の嵌合孔６Ａが開放して傘軸５の先端部に嵌合固定させることができる。
なお、受け皿７Ｃのカバー３８の先端部の透孔３８ａを傘軸５の先端部がスムーズに通過しない径寸法の場合には、該カバー３８の先端部をカットすることにより、透孔３８ａの径寸法を調整して使用する。これにより、傘軸５の先端部の寸法に応じた複数種のカバー３８を用意する必要が無く経済的に使用することができる。
この場合、カバー３８の先端部の外周部に予め設定された切断部位を示す複数個のリング状の凹部やラインを形成しておくことにより、必要部位を奇麗に切断して使用することができる。
【産業上の利用可能性】
【００３０】
本発明は傘および傘用カバーを製造する産業で利用される。
【図１】
2008062497.tif 000003
【図２】
2008062497.tif 000004
【図３】
2008062497.tif 000005
【図４】
2008062497.tif 000006
【図５】
2008062497.tif 000007
【図６】
2008062497.tif 000008
【図７】
2008062497.tif 000009
【図８】
2008062497.tif 000010
【図９】
2008062497.tif 000011
【図１０】
2008062497.tif 000012
【図１１】
2008062497.tif 000013
【図１２】
2008062497.tif 000014
【図１３】
2008062497.tif 000015
【図１４】
2008062497.tif 000016
【図１５】
2008062497.tif 000017
【図１６】
2008062497.tif 000018
【図１７】
2008062497.tif 000019
【図１８】
2008062497.tif 000020
【図１９】
2008062497.tif 000021
【図２０】
2008062497.tif 000022
【図２１】
2008062497.tif 000023
【図２２】
2008062497.tif 000024
【図２３】
2008062497.tif 000025
【図２４】
2008062497.tif 000026
【図２５】
2008062497.tif 000027
【図２６】
2008062497.tif 000028
【図２７】
2008062497.tif 000029
【図２８】
2008062497.tif 000030
【図２９】
2008062497.tif 000031
【図３０】
2008062497.tif 000032